(57)【要約】ガラスや建築材料等に機能性溶液等の液剤を塗布したり、水や汚れ等を拭き取ったりガラスなどの平滑面にフィルムを貼る際等に用いられるワイパー兼用塗布具である。把持部２４と薄板状のへら部２１とを有し、へら部２１は先端部に折り返し部２２が形成されているとともに、折り返し部２２が弾性を有しているので、被塗布部材が曲面や凹凸を有していてもへら部２１が柔軟にその表面に密着する。また、へら部２１の外周全体に、塗布剤を含浸させる布状の塗布部材（又はワイピングクロス）３が着脱自在に装着されるものとすれば、塗布する液剤や被塗布部材の種類および塗布目的等に応じて、塗布部材３の材質や厚さ等の種類を替えて同じ塗布具本体２を使用することが可能であるので、塗布具本体２は一つで済むという利点がある。
2004105962.tif 000002
【特許請求の範囲】
【請求項１】
把持部と薄板状のへら部とを有し、前記へら部は先端部に折り返し部が形成されているとともに少なくとも前記折り返し部が弾性を有していて、前記折り返し部の折り曲げ角度が可変であるワイパー兼用塗布具。
【請求項２】
前記へら部の外周に、塗布剤を含浸させる布状の塗布部材またはワイピングクロスが着脱自在に装着される請求項１記載のワイパー兼用塗布具。
【請求項３】
前記へら部に設けた折り返し部が複数である請求項１または２記載のワイパー兼用塗布具。
【請求項４】
前記へら部が複数枚の板材によって重ねて形成されている請求項１，２または３記載のワイパー兼用塗布具。
【請求項５】
前記へら部の折り返し部と基端部との間にばね材が架設されている請求項１，２，３または４記載のワイパー兼用塗布具。
【請求項６】
前記へら部は折り返し部が別体であるとともに前記ばね材によって折り返し部がへら部本体に架設されている請求項５記載のワイパー兼用塗布具。
【請求項７】
前記へら部に、複数の微細な通孔が設けられている請求項１，２，３，４，５または６記載のワイパー兼用塗布具。
【発明の詳細な説明】
【技術分野】  この発明は、例えばガラスや建築材料等に機能性溶液等の液剤を塗布したり、水や汚れ等を拭き取ったりガラスなどの平滑面にフィルムを貼る際等に用いられるワイパー兼用塗布具に関するものである。
【背景技術】  従来より、例えばガラス等に溶剤を均一に塗布したり、水や汚れ等を拭き取ったりするための用具として、第１１図に示すようなゴムや軟質合成樹脂等の弾性材料からなる先端部を設けたへら５２を有するワイパー５１が用いられている。
また、例えばガラスに撥水剤や親水剤等のコーティング溶液を塗布する場合に用いられる塗布具として第１２図に示すように、先端に設けられた芯状のへら６２を不織布等からなる塗布部材３０で覆った塗布具６１が用いられ、塗布部材３０に溶液を含浸させて塗布作業を行っている。
しかしながら、第１１図に示すようなワイパー５１においては、被塗布部材の表面が曲面や凹凸を有する場合にはへら５２が十分に表面に密着しにくい場合があった。
また、第１２図に示すような塗布具６１に関しては、不織布等の塗布部材３０が接着剤層６３などによりへら６２に固着されているため、塗布する液剤の種類や塗布目的等によって、適切な塗布部材３０が取り付けられた塗布具６１をその都度用意しなければならなかった。また、塗布部材３０が汚れた際、機械で丸洗いすることは困難であり、洗浄が面倒であった。しかも、塗布部材３０が液剤の成分や反復使用等によって傷んだ場合には、塗布具６１全体を廃棄して新しいものと交換しなければならず、不経済であった。加えて、前述のようにへら６２が硬質で先端における弾性が劣ることから塗装面に沿って塗布部材３０が密着せず、使い勝手が悪く、美麗な仕上げが困難であるという問題もあった。
従って、本発明は、曲面や凹凸を有する被塗布部材にも密着しやすく、塗布部材またはワイピングクロスを使用目的に応じた複数の塗布部材を用いることができ、容易に洗浄することができるうえ、経済的であり、用途に応じて各部に適正な素材を用いて、より使いやすいへら部を構成することができるワイパー兼用塗布具を提供することを目的とする。
【発明の開示】
本発明は、把持部と薄板状のへら部とを有し、前記へら部は先端部に折り返し部が形成されているとともに少なくとも前記折り返し部が弾性を有していて、前記折り返し部の折り曲げ角度が可変であるものとした。
折り返し部を形成することにより、へら部の剛性が向上して、被塗布部材に強く押しつけることができる。そのうえ、折り返し部が弾性を有することにより緩衝作用を有し、被塗布部材が曲面や凹凸を有していても、塗布時に適宜折り返し角度を変えることによって、へら部が被塗布部材の表面に追随しやすくなり、弾性を有していない場合には、折り返し部と基端部とをばね材で架設することにより、同様の効果を有するものとなる。
また、へら部の外周全体に、塗布剤を含浸させる布状の塗布部材が着脱自在に装着されるものとすれば、塗布する液剤や被塗布部材の種類および塗布目的等に応じて、塗布部材の材質や厚さ等の種類を替えて同じ塗布具本体を使用することができるうえ、塗布部材が汚れたり傷んだりした場合には、塗布部材のみを取り替えて使用することができる。また、取り外した塗布部材は、洗濯機で容易に丸洗いできるので、洗浄作業が楽であり、更に使い捨てにしても無駄が少ない。布状の塗布部材が着脱自由なので、使用目的に応じた複数の塗布部材に対して本体は一つで済む。しかも、塗布部材を取り外して容易に洗浄することができるうえ、傷んだ場合には塗布部材だけを捨てて本体を継続使用することができて経済的である。
更に、被塗布部材の材質や用途等に応じて、へら部を複数枚の板材で形成したり、基端部と折り返し部とを異なる材質の別体としたりすることにより、塗布作業の効率を図ることができる。尚、前記塗布部材の代わりに塗布部材と同様なワイピングクロスを用いることによりワイパーとして用いることができる。
更にまた、へら部に、水や塗布剤が通過できるような複数の微細な通孔を設けた場合には、余分な水や塗布剤が通孔から裏側へ逃れることができて、塗布面や被塗布部材などに溜まらないので、全体を均一に塗布することができる。
【図面の簡単な説明】  第１図は本発明の実施の形態を示す斜視図、第２図は第１図に示した実施の形態について塗布部材を取り付けた状態の斜視図、第３図は第２図の横断面図、第４図は本発明のへら部の異なる実施の形態を示す横断面部分図、第５図は本発明のへら部の異なる実施の形態を示す横断面部分図、第６図は本発明のへら部の異なる実施の形態を示す横断面部分図、第７図は本発明のへら部の異なる実施の形態を示す横断面部分図、第８図は本発明のへら部の異なる実施の形態を示す斜視図、第９図は第８図の横断面部分図、第１０図は本発明のへら部の異なる実施の形態を示す横断面部分図、第１１図は従来例を示す斜視図、第１２図は異なる従来例を示す斜視図である。
【発明を実施するための最良の形態】  本発明を更に詳細に説述するために、添付図面に従って説明する。
第１図は、本発明を実施するための最良の形態の一つを示すものであり、塗布具本体２は、第１図に示すように、先端側に、硬質材料からなるへら部２１を有し、へら部２１の基端側にファスナ部２３および把持部２４が設けられている。これらのへら部２１、ファスナ部２３、把持部２４からなる塗布具本体２は、塗布剤となる水や機能性溶液等を含浸しない不浸透性材料によって構成される。
へら部２１の材質としては、弾性を有する硬質合成樹脂、ゴム材や金属の薄板等が用いられ、先端から適宜長さ、例えば三分の一程度が折り曲げられて折り返し部２２が形成されている。そして、折り返し部２２の端辺は固定されず、折り曲げ角度が自在に変化できるような弾性を有している。また、折り返し部２２には、水や機能性溶液等の塗布剤が通過できる大きさの微細な通孔２０が複数設けられている。
ファスナ部２３は、例えば面ファスナ等のように、塗布部材３を手で簡単に着脱できるような取り付け及び取り外し手段を有している。そして、塗布部材３は、例えばフエルトやパイル（タオル地を含む）地、不織布、マイクロ繊維、樹脂発泡体、紙等、柔軟性を有するとともに、用途によっては塗布剤を一定量含浸することができる材質の布状のものとされ、塗布剤の種類や被塗布部材の性質、塗布目的等に応じた素材が適宜用いられて、第２図および第３図に示すように、少なくとも折り返し部２２を含むへら部２１の外周を覆うように取り付けられる。
このような塗布具１を使用する際には、先ず、被塗布部材の硬さや面積、および塗布する溶液、例えば撥水剤や曇り止め剤等のコーティング溶液等の種類や用途に応じて、適切な素材および厚さ等を有する塗布部材３を選択し、塗布具本体２のファスナ部２３にその塗布部材３を取り付ける。機能性溶液を被塗布部材に塗布する場合には、把持部２４を持って、塗布部材３に溶液を含浸させ、例えば自動車ガラス等の被塗布部材の表面に沿って塗布具１を動かして、塗布作業を行う。
また、前記例えばフエルトやパイル（タオル地を含む）地、不織布、マイクロ繊維、樹脂発泡体、紙等、柔軟性を有するとともに、用途によっては塗布剤を一定量含浸することができる材質の布状のものとされる。塗布部材３をワイピングクロスとして使用することによりワイパーとして使用することができる。
塗布部材３の芯材となっているへら部２１における折り返し部２２は、弾性を有しているため、被塗布部材が自動車ガラスのように曲面を呈していても、表面の形状に沿いやすく、重ね塗りをすることなく溶液を塗布できる。しかも、へら部２１の先端が折り曲げられて折り返し部２２が形成されているので、被塗布部材に強く押しつけてもへら部２１が屈曲しにくく、折り返し部２２を被塗布部材に強く密着させることができる。
更に、折り返し部２２には通孔２０が設けられているので、余分な溶液が通孔２０を通して裏面に逃れ、塗布部材３や被塗布面において一個所に溜まることなく、均一に塗布することができる。
そして、塗布部材３が汚れたり傷んだりした場合には、ファスナ部２３から塗布部材３を取り外して、新しい塗布部材３に付け替えて使用すればよい。また、異なる条件の塗布作業を行う際には、塗布部材３のみを交換して、同じ塗布具本体２を使用することができる。取り外した塗布部材３は、その状態によって、洗浄して再使用したり、破棄したりする。塗布具本体２から取り外された塗布部材３は、洗濯機等で容易に洗浄することができるうえ、塗布部材３を使い捨てにしても、塗布具本体２は何度でも再使用できるので、経済的、資源的な損失が少なく抑えられる。
尚、例えば水切り等のワイパーとして使用する場合には、第２図に示すように、塗布部材３を取り付けた状態、または、第１図に示すように、塗布部材３を取り付けずに塗布具本体２のみで使用することもできる。この場合にも、折り返し部２２が形成されていることにより、へら部２１を硬い材質や厚板にしなくても強い力で押しつけることができるので、ワイピングする面を傷付けずに且つ密着させることができる。
第４図乃至第１０図は、本発明のへら部２１における異なる実施の形態を示すものである。
第４図は、従来のワイパーのように折り返し部２２に例えばゴム等の弾性材からなる薄板２２ａを配置したものであり、主としてワイピング効果を向上させたものである。また、前記第２図に示すように、塗布部材３を取り付けた状態では、薄板２２ａが塗布部材３の滑り止め効果を発揮する。
第５図は、二枚の薄板を重ねてへら部２１が構成されたものである。この場合、例えば、外側の薄板を柔らかい材質のものとして、塗布時に被塗布部材が傷付けにくくなるようにし、内側には硬い材質を用いて折り返し部２２の弾力を強くするというように、塗布目的等によって、異なる材質からなる複数の薄板を用いてへら部２１を構成することができる。薄板の枚数は二枚に限らず、要求される性能に応じて、適切な材質のものを複数枚用いてへら部２１を構成することができる。
また、第６図はへら部２１の折り返し部２２と基端部２５との間にばね材４を架設したものであり、第７図はへら部２１の折り返し部２２と基端部２５とを別体とし、ばね材４を架設して連結したものである。いずれも、ばね材４によって折り返し部２２，２２が弾性を有し、ばね材４の種類によって、弾力を調整することができる。図７の場合には、例えば被塗布部材に接触する折り返し部２２を柔らかい材質として傷を付けにくくし、軸方向に力が作用する基端部２５を硬い材質で形成することもできる。
更に、第８図及び第９図はへら部２１の折り返し部２２と基端部２５とを別体とし、折り返し部２２と基端部２５との間に屈曲させた板ばねからなる一対のばね材４を止めねじ４１，４１を用いて架設することにより連結したものである。
更にまた、第１０図に示すものは、へら部２１の折り返し部２２，２２が複数に折り曲げられて形成されたものであり、前記第１図乃至第９図に示した一度の折り返しの実施の形態のものに比べてより細かい弾性を選択して形成することができ、使用に適したものを提供することができる。勿論、本実施の形態と前第１図乃至第６図に示した実施の形態と併用することができることは言うまでもない。
尚、第４図乃至第９図に示すような形態のへら部２１を有する場合にも、第１図および第２図に示す前記のものと同様に、ワイピングクロス（塗布部材）３を取り付けず或いは取り付けてワイパーとして使用してもよいし、塗布部材３を取り付けて液剤を塗布する塗布具として使用してもよい。
産業上の利用分野
以上のように、本発明にかかるワイパー兼用塗布具は、例えばガラスや建築材料等に機能性溶液等の液剤を塗布したり、水や汚れ等を拭き取ったりガラスなどの平滑面にフィルムを貼る際等に用いることができる。
【図１】
2004105962.tif 000003
【図２】
2004105962.tif 000004
【図３】
2004105962.tif 000005
【図４】
2004105962.tif 000006
【図５】
2004105962.tif 000007
【図６】
2004105962.tif 000008
【図７】
2004105962.tif 000009
【図８】
2004105962.tif 000010
【図９】
2004105962.tif 000011
【図１０】
2004105962.tif 000012
【図１１】
2004105962.tif 000013
【図１２】
2004105962.tif 000014
【手続補正書】
【提出日】平成16年11月11日(2004.11.11)
【手続補正００１】
【補正対象書類名】特許請求の範囲
【補正対象項目名】特許請求の範囲
【補正方法】変更
【補正の内容】
【特許請求の範囲】
【請求項１】
（補正後）棒状の把持部と薄板状のへら部とを有し、前記へら部は把持部の軸線とほぼ同一方向に延びるとともに先端部に鋭角方向に向けた折り返し部が形成されているとともに少なくとも前記折り返し部自身が弾性を有してるワイパー兼用塗布具。
【請求項２】
（補正後）前記へら部の外周に、塗布剤を含浸させる布状の塗布部材またはワイピングクロスが着脱自在に装着される請求項１記載のワイパー兼用塗布具。
【請求項３】
（補正後）前記へら部に設けた折り返し部が複数である請求項１または２記載のワイパー兼用塗布具。
【請求項４】
（補正後）前記へら部が複数枚の板材によって重ねて形成されている請求項１，２または３記載のワイパー兼用塗布具。
【請求項５】
（補正後）前記へら部の折り返し部と基端部との間にばね材が架設されている請求項１，２，３または４記載のワイパー兼用塗布具。
【請求項６】
（補正後）前記へら部は折り返し部が別体であるとともに前記ばね材によって折り返し部がへら部本体に架設されている請求項５記載のワイパー兼用塗布具。
【請求項７】
（補正後）前記へら部に、複数の微細な通孔が設けられている請求項１，２，３，４，５または６記載のワイパー兼用塗布具。
【国際調査報告】
2004105962.tif 000015
2004105962.tif 000016
2004105962.tif 000017
2004105962.tif 000018